(57)【特許請求の範囲】
【請求項１】
スナックやバーなどの飲食店において客に提供された飲み物のお代わりの必要性またはタイミングを検知するシステムであって、
飲食店において客に提供されるコップの底部にその外側から固定された枠体の内部に配置されている傾き検知手段であって、前記コップが所定の角度まで傾けられたことを検出する傾き検出手段と、
客に提供されるコップに備えられ、前記傾き検出手段が前記傾きを検出したとき、所定のお代わり信号を、後記の信号受信手段に向けて、又は後記の信号受信手段に「自らが配置されているエリアの識別情報を含むエリア信号」を送信するエリア信号送信手段に向けて、無線送信する、お代わり信号送信手段と、
飲食店の店員側の領域（カウンター、厨房、店員の身体など）に備えられ、前記お代わり信号送信手段からのお代わり信号又は前記エリア情報送信手段からのエリア信号を受信する信号受信手段と、
飲食店の店員側の領域（カウンター、厨房、店員の身体など）に備えられ、前記信号受信手段からの信号に基づいて所定の光、音、文字、又は画像による所定の告知情報を発生する告知情報発生手段と、
を備えたことを特徴とする飲み物お代わりタイミング検知システム。
【請求項２】
スナックやバーなどの飲食店において客に提供された飲み物のお代わりの必要性またはタイミングを検知するシステムであって、
飲食店において客に提供されるコップの底部又はこの底部に固定された枠体に備えられており、「前記のコップの底部又は枠体内に形成された空間内を前記コップの動作に応じて移動可能に配置された金属製小球」の動作に基づいて、前記コップが所定の角度まで傾けられたことを検出する傾き検出手段と、
客に提供されるコップに備えられ、前記傾き検出手段が前記傾きを検出したとき、所定のお代わり信号を、後記の信号受信手段に向けて、又は後記の信号受信手段に「自らが配置されているエリアの識別情報を含むエリア信号」を送信するエリア信号送信手段に向けて、無線送信する、お代わり信号送信手段と、
飲食店の店員側の領域（カウンター、厨房、店員の身体など）に備えられ、前記お代わり信号送信手段からのお代わり信号又は前記エリア情報送信手段からのエリア信号を受信する信号受信手段と、
飲食店の店員側の領域（カウンター、厨房、店員の身体など）に備えられ、前記信号受信手段からの信号に基づいて所定の光、音、文字、又は画像による所定の告知情報を発生する告知情報発生手段と、
を備えたことを特徴とする飲み物お代わりタイミング検知システム。
【請求項３】
請求項１又は２において、
前記エリア信号送信手段は、飲食店内の複数のエリアの中の各エリア毎に配置されており、且つ、前記お代わり信号送信手段からのお代わり信号を受信したこと又は前記受信したお代わり信号の電波の強度に基づいて、自らが配置されているエリアの識別情報を含むエリア信号を前記信号受信手段に無線送信するものである、
ことを特徴とする飲み物お代わりタイミング検知システム。
【請求項４】
請求項１又は２において、
前記傾き検出手段は、
コップの底部に円周状に形成された第１溝部と、
前記第１溝部の外側にこれと同心円状に形成された第２溝部であって前記第１溝部よりも前記コップの水平面を基準として所定の距離だけ高い位置に形成された第２溝部と、
前記第１溝部と前記第２溝部とを繋ぐ傾斜面と、
前記第１溝部と前記第２溝部との間を前記傾斜面を介して移動可能に配置された、導電性素材から成る小球と、
前記第２溝部の両端部にそれぞれ円周状に形成されており前記お代わり信号送信手段が接続された電極であって、前記小球が前記第２溝部に入り込むことにより互いに導通する電極と、
を備えたことを特徴とする飲み物お代わりタイミング検知システム。
【請求項５】
請求項４において、
前記小球は磁性体から成り、
前記傾き検出手段は、前記第１溝部の下方に配置された永久磁石と、前記永久磁石を前記小球に近接離反する方向に移動可能に支持する支持部と、を含むものである、ことを特徴とする飲み物お代わりタイミング検知システム。
【請求項６】
スナックやバーなどの飲食店において客に提供された飲み物のお代わりの必要性またはタイミングを検知するシステムに使用されるのに適した、お代わり信号送信機能付きコップであって、
飲食店において客に提供されるコップの底部にその外側から固定された枠体の内部に配置されている傾き検知手段であって、前記コップが所定の角度まで傾けられたことを検出する傾き検出手段と、
客に提供されるコップに備えられ、前記傾き検出手段が前記傾きを検出したとき、所定のお代わり信号を、飲食店の店員側の領域（カウンター、厨房、店員の身体など）に備えられた信号受信手段に向けて、又は前記信号受信手段に「自らが配置されているエリアの識別情報を含むエリア信号」を送信するエリア信号送信手段に向けて、無線送信する、お代わり信号送信手段と、
を備えたことを特徴とするお代わり信号送信機能付きコップ。
【請求項７】
スナックやバーなどの飲食店において客に提供された飲み物のお代わりの必要性またはタイミングを検知するシステムに使用されるのに適した、お代わり信号送信機能付きコップであって、
飲食店において客に提供されるコップの底部又はこの底部に固定された枠体に備えられており、「前記のコップの底部又は枠体内に形成された空間内を前記コップの動作に応じて移動可能に配置された金属製小球」の動作に基づいて、前記コップが所定の角度まで傾けられたことを検出する傾き検出手段と、
客に提供されるコップに備えられ、前記傾き検出手段が前記傾きを検出したとき、所定のお代わり信号を、飲食店の店員側の領域（カウンター、厨房、店員の身体など）に備えられた信号受信手段に向けて、又は前記信号受信手段に「自らが配置されているエリアの識別情報を含むエリア信号」を送信するエリア信号送信手段に向けて、無線送信する、お代わり信号送信手段と、
を備えたことを特徴とするお代わり信号送信機能付きコップ。
【請求項８】
請求項６又は７において、
前記傾き検出手段は、
コップの底部に円周状に形成された第１溝部と、
前記第１溝部の外側にこれと同心円状に形成された第２溝部であって前記第１溝部よりも前記コップの水平面を基準として所定の距離だけ高い位置に形成された第２溝部と、
前記第１溝部と前記第２溝部とを繋ぐ傾斜面と、
前記第１溝部と前記第２溝部との間を前記傾斜面を介して移動可能に配置された、導電性素材から成る小球と、
前記第２溝部の両端部にそれぞれ円周状に形成されており前記お代わり信号送信手段が接続された電極であって、前記小球が前記第２溝部に入り込むことにより互いに導通する電極と、
を備えたことを特徴とするお代わり信号送信機能付きコップ。
【発明の詳細な説明】
【技術分野】
【０００１】
本発明は、スナックやバーなどの飲食店での顧客サービス向上に資する飲み物お代わりタイミング検知システム、及びこの飲み物お代わりタイミング検知システムに使用されるのに適したお代わり信号送信機能付きコップに関する。
【背景技術】
【０００２】
従来より、スナックやバーなどの飲食店では、お客に飲み物を出した後、お客の動きを見ながら経験に基づいて飲み物が少なくなったと店員が感じたらそのタイミングでお客にお代わりを勧めるようにしている。しかし、お客が混む時間帯では、店員の目が全てのお客に行き届かなくて、あるお客の飲み物が少なくなっても放置されたままになってそのお客に不満を与えてしまうことが少なくなかった。
【０００３】
他方、従来より、容器内のコーヒーなど液体の温度が適温かどうかなどをユーザーに知らせるために容器に温度センサを備えて、その温度センサによる検出結果を容器の側面に配置した表示器に表示することが提案されている（特許文献１参照）。しかし、この提案は、単に容器内の液体の温度を外部に分かるように表示するというものに過ぎず、コップ内の飲み物の量が減ってお代わりが必要になったタイミングを店員に知らせることなどは全く想定されていない。
【先行技術文献】
【特許文献】
【０００４】
【特許文献１】実用新案登録第３１５１８０２号公報
【発明の概要】
【発明が解決しようとする課題】
【０００５】
本発明はこのような従来技術の課題に着目してなされたものであって、スナックやバーなどの飲食店においてお客の数に比して店員の数が少ないため店員の目が全てのお客に行き届かない場合でも、全てのお客の飲み物のお代わりのタイミングを店員が知ることができる、飲み物お代わりタイミング検知システム及びこのシステムに使用するのに適したお代わり信号送信機能付きコップを提供することを目的とする。
【課題を解決するための手段】
【０００６】
このような課題を解決するための本発明による飲み物お代わりタイミング検知システムは、スナックやバーなどの飲食店において客に提供された飲み物のお代わりの必要性またはタイミングを検知するシステムであって、飲食店において客に提供されるコップの底部にその外側から固定された枠体の内部に配置されている傾き検知手段であって、前記コップが所定の角度まで傾けられたことを検出する傾き検出手段と、客に提供されるコップに備えられ、前記傾き検出手段が前記傾きを検出したとき、所定のお代わり信号を、後記の信号受信手段に向けて、又は後記の信号受信手段に「自らが配置されているエリアの識別情報を含むエリア信号」を送信するエリア信号送信手段に向けて、無線送信する、お代わり信号送信手段と、飲食店の店員側の領域（カウンター、厨房、店員の身体など）に備えられ、前記お代わり信号送信手段からのお代わり信号又は前記エリア情報送信手段からのエリア信号を受信する信号受信手段と、飲食店の店員側の領域（カウンター、厨房、店員の身体など）に備えられ、前記信号受信手段からの信号に基づいて所定の光、音、文字、又は画像による所定の告知情報を発生する告知情報発生手段と、を備えたことを特徴とするものである。
【０００７】
また、本発明による飲み物お代わりタイミング検知システムは、スナックやバーなどの飲食店において客に提供された飲み物のお代わりの必要性またはタイミングを検知するシステムであって、飲食店において客に提供されるコップの底部又はこの底部に固定された枠体に備えられており、「前記のコップの底部又は枠体内に形成された空間内を前記コップの動作に応じて移動可能に配置された金属製小球」の動作に基づいて、前記コップが所定の角度まで傾けられたことを検出する傾き検出手段と、客に提供されるコップに備えられ、前記傾き検出手段が前記傾きを検出したとき、所定のお代わり信号を、後記の信号受信手段に向けて、又は後記の信号受信手段に「自らが配置されているエリアの識別情報を含むエリア信号」を送信するエリア信号送信手段に向けて、無線送信する、お代わり信号送信手段と、飲食店の店員側の領域（カウンター、厨房、店員の身体など）に備えられ、前記お代わり信号送信手段からのお代わり信号又は前記エリア情報送信手段からのエリア信号を受信する信号受信手段と、飲食店の店員側の領域（カウンター、厨房、店員の身体など）に備えられ、前記信号受信手段からの信号に基づいて所定の光、音、文字、又は画像による所定の告知情報を発生する告知情報発生手段と、を備えたことを特徴とするものである。
【０００８】
また、本発明による飲み物お代わりタイミング検知システムにおいては、前記エリア信号送信手段は、飲食店内の複数のエリアの中の各エリア毎に配置されており、且つ、前記お代わり信号送信手段からのお代わり信号を受信したこと又は前記受信したお代わり信号の電波の強度に基づいて、自らが配置されているエリアの識別情報を含むエリア信号を前記信号受信手段に無線送信するものであってもよい。
【０００９】
また、本発明による飲み物お代わりタイミング検知システムにおいては、前記傾き検出手段は、コップの底部に円周状に形成された第１溝部と、前記第１溝部の外側にこれと同心円状に形成された第２溝部であって前記第１溝部よりも前記コップの水平面を基準として所定の距離だけ高い位置に形成された第２溝部と、前記第１溝部と前記第２溝部とを繋ぐ傾斜面と、前記第１溝部と前記第２溝部との間を前記傾斜面を介して移動可能に配置された、導電性素材から成る小球と、前記第２溝部の両端部にそれぞれ円周状に形成されており前記お代わり信号送信手段が接続された電極であって、前記小球が前記第２溝部に入り込むことにより互いに導通する電極と、を備えたものであってもよい。
【００１０】
また、本発明による飲み物お代わりタイミング検知システムにおいては、前記小球は磁性体から成り、前記傾き検出手段は、前記第１溝部の下方に配置された永久磁石と、前記永久磁石を前記小球に近接離反する方向に移動可能に支持する支持部と、を含むものであってもよい。
【００１１】
また、本発明によるお代わり信号送信機能付きコップは、スナックやバーなどの飲食店において客に提供された飲み物のお代わりの必要性またはタイミングを検知するシステムに使用されるのに適した、お代わり信号送信機能付きコップであって、飲食店において客に提供されるコップの底部にその外側から固定された枠体の内部に配置されている傾き検知手段であって、前記コップが所定の角度まで傾けられたことを検出する傾き検出手段と、客に提供されるコップに備えられ、前記傾き検出手段が前記傾きを検出したとき、所定のお代わり信号を、飲食店の店員側の領域（カウンター、厨房、店員の身体など）に備えられた信号受信手段に向けて、又は前記信号受信手段に「自らが配置されているエリアの識別情報を含むエリア信号」を送信するエリア信号送信手段に向けて、無線送信する、お代わり信号送信手段と、を備えたことを特徴とするものである。
また、本発明によるお代わり信号送信機能付きコップは、スナックやバーなどの飲食店において客に提供された飲み物のお代わりの必要性またはタイミングを検知するシステムに使用されるのに適した、お代わり信号送信機能付きコップであって、飲食店において客に提供されるコップの底部又はこの底部に固定された枠体に備えられており、「前記のコップの底部又は枠体内に形成された空間内を前記コップの動作に応じて移動可能に配置された金属製小球」の動作に基づいて、前記コップが所定の角度まで傾けられたことを検出する傾き検出手段と、客に提供されるコップに備えられ、前記傾き検出手段が前記傾きを検出したとき、所定のお代わり信号を、飲食店の店員側の領域（カウンター、厨房、店員の身体など）に備えられた信号受信手段に向けて、又は前記信号受信手段に「自らが配置されているエリアの識別情報を含むエリア信号」を送信するエリア信号送信手段に向けて、無線送信する、お代わり信号送信手段と、を備えたことを特徴とするものである。
【００１２】
さらに、本発明によるお代わり信号送信機能付きコップにおいては、前記傾き検出手段は、コップの底部に円周状に形成された第１溝部と、前記第１溝部の外側にこれと同心円状に形成された第２溝部であって前記第１溝部よりも前記コップの水平面を基準として所定の距離だけ高い位置に形成された第２溝部と、前記第１溝部と前記第２溝部とを繋ぐ傾斜面と、前記第１溝部と前記第２溝部との間を前記傾斜面を介して移動可能に配置された、導電性素材から成る小球と、前記第２溝部の両端部にそれぞれ円周状に形成されており前記お代わり信号送信手段が接続された電極であって、前記小球が前記第２溝部に入り込むことにより互いに導通する電極と、を備えたものであってもよい。
【発明の効果】
【００１３】
本発明においては、或るお客が自らの飲み物を飲み干すか相当部分を飲み終わるときは必ずコップ（グラス、茶碗などを含む）が斜めに傾斜することに着目して、コップの底部などに傾き検出手段を備えるようにしている。そして、この傾き検出手段に備えられたお代わり信号送信手段は、前記コップ本体が所定の角度まで傾けられたことを（傾きセンサが）検出したとき、お代わりのタイミングを示すお代わり信号を、店員側の受信手段に向けて（又はエリア信号送信手段に向けて）無線で送信（出力）する。よって、本発明の飲み物お代わりタイミング検知システム又はお代わり信号送信機能付きコップを使用するときは、スナックやバーなどの飲食店においてお客の数に比して店員の数が少ないため店員の目が全てのお客に行き届かない場合でも、店員は、店内のいずれかのお客の飲み物のお代わりのタイミングが来たことを容易に知ることができる（いずれかのお客の飲み物のお代わりのタイミングが来たことを知ることができさえすれば、後は、店員がどのお客の飲み物が少なくなったのかを見極めることは容易である）。
【００１４】
また、本発明のシステム又はコップを使用する場合において、各お客のコップ毎に備えらた傾き検出手段からのお代わり信号の無線送信の範囲を例えば１〜数ｍの近距離に止めるようにし、且つ、その近距離のエリア毎（例えばスナック内の各テーブル及びその近傍のエリア毎）に各エリアの識別情報を含むエリア信号を店員側に無線送信するエリア信号送信手段を配置するようにしたときは、前記各傾き検出手段が各コップの傾きを検出したとき、その傾きが検出されたコップが属するエリアを示すエリア信号が、店員側に送信される。よって、店員は、いずれかのお客について飲み物が少なくなった（飲み物のお代わりのタイミングが来た）ことを知るだけでなく、どのエリア（例えばどのテーブル）のお客の飲み物が少なくなったのかをも、知ることができる。
【００１５】
また、本発明のシステム又はコップの前記傾き検出手段を、コップが傾くときは前記小球（導電性素材から成る小球）がその自重により前記第１溝部から前記傾斜面を通って前記第２溝部に移動し、前記第２溝部の中に入り込み、前記第２溝部の両端の電極を導通させるように構成したときは、前記コップが所定角度以上に傾けられると、前記小球が第２溝部内に移動して前記各電極が導通するので、これにより各電極と接続されたお代わり信号送信手段が作動してお代わり信号を無線送信する。
【００１６】
さらに、本発明において、前記小球は磁性体から成り、前記傾き検出手段は、前記第１溝部の下方に配置された永久磁石と、前記永久磁石を前記小球に対して近接離反する方向に移動可能に支持する支持部とを含むように構成したときは、前記小球に対して与えられる磁力の強さ（前記磁石と前記小球との距離）を調整することにより前記小球に所望の移動負荷を付与することができるので、コップ毎にどのくらいの傾きを検出したらお代わり信号を送信するか（すなわち、どのくらいの傾きで前記小球が移動するようにするか）をユーザーが調整することができる。
【図面の簡単な説明】
【００１７】
【図１】本発明の実施例１によるお代わりタイミング検知システムの全体構成を示す概略ブロック図である。
【図２】本実施例１における傾きセンサの構成及び動作を説明するための断面図である。
【図３】本実施例１における傾きセンサの構成及び動作を説明するための断面図である。
【図４】本実施例１の動作を説明するための断面図である。
【図５】本発明の実施例２によるお代わりタイミング検知システムの全体構成を示す概略ブロック図である。
【図６】本実施例１の動作を説明するためのスナックの見取り図である。
【発明を実施するための形態】
【００１８】
本発明を実施するための最良の形態は、以下の実施例１について述べるような形態である。
【実施例１】
【００１９】
図１は本発明の実施例１によるお代わりタイミング検知システムの全体構成を示す概略ブロック図である。図１において、１はお客が注文した飲み物を入れたグラス１０の底部に備えられた傾きセンサ、２は前記グラス１０の底部に備えられたお代わり信号送信部（前記傾きセンサ１の一部と考えてもよい）、３は店員側のエリア２０（例えば店員の身体（被服）、カウンターやキッチン（厨房）の中）に配置された信号受信部、４は店員側のエリア２０に配置されたアラーム発生部（例えば所定の光を点滅させる発光ダイオード（ＬＥＤ））である。
【００２０】
次に、図２及び図３は本実施例１の傾きセンサ１（及び、お代わり信号送信部２）の構成及び動作を説明するための中央断面図である。図２，３において、１１は前記グラス１０の底面に固定される例えばプラスチック製の枠体、１１ａはこの枠体１１をグラス１０の底面に例えば両面テープや接着剤などで固定する突出面、１２は前記枠体１１の図示上面に円周状に形成された第１溝部、１３は前記第１溝部１２と同心円状に且つこれよりも外周側であってこれよりもグラス１０の上下方向の高い位置において円周状に形成された第２溝部、１４は前記第１溝部１２と前記第２溝部１３との間を繋ぐように円周状に形成された傾斜面（本実施例１では前記傾斜面１４はグラス１０をテーブルに置いたときに水平面に対して角度βだけ傾斜するように形成されている）、１３ａ，１３ｂは前記第２溝部１３の両端部にそれぞれ円周状に形成された電極、１５は前記第１溝部１２及び第２溝部１３の間を前記傾斜面１４を介して相互に移動可能な金属製小球、２は前記各電極１３ａ，１３ｂに接続されたお代わり信号送信部、１７は前記お代わり信号送信部に電力を供給する１次電池である。
【００２１】
また、図２，３において、２１は円板状の永久磁石、２２は前記磁石２１が回動可能及び上下移動可能とするための空間、２３は前記磁石２１の回動中心に挿通され固定された雄ネジ、２４は前記空間２２の下方側に前記雄ネジ２３が螺入可能に形成された雌ネジ、２５は前記空間２２の上方側に前記雄ネジ２３が螺入可能に形成された雌ネジ、２６は前記雄ネジ２３の頭部であって前記雄ネジ２３を前記各雌ネジ２４，２５の中で回動させることにより前記磁石２１の前記空間２２内の上下方向の位置を調整するための頭部である。
【００２２】
次に本実施例１の動作を説明する。図４（ａ）はグラス１０の底部に前記枠体１１が取り付けられており、このグラス１０の中に飲み物（ビールやウイスキーなど）が注がれている場合を示している。なお、前記枠体１１の断面は、正確には図２，３に示すような形状となっているが、この図４においては、図示の便宜上、細かい形状を省略している。
【００２３】
次に、図４（ｂ）は、お客が前記グラス１０を水平面に対して所定角度αだけ傾けた場合を示すものである。この場合は、グラス１０の傾斜角度が前記枠体１１内の第１溝部１２及び第２溝部１３を繋ぐ傾斜面１４の角度β（図２，３参照）よりも小さいため、前記小球１５は第１溝部１２内から移動することはなく、前記お代わり信号送信部２も作動しない。
【００２４】
次に、図４（ｃ）は、お客が前記グラス１０を水平面に対して所定角度βよりも大きく傾けた場合を示すものである。この場合は、グラス１０の傾斜角度が前記枠体１１内の第１溝部１２及び第２溝部１３を繋ぐ傾斜面１４の角度βよりも大きくなり、前記小球１５は自重により第１溝部１２から傾斜面１４を介して第２溝部１３に移動する。その結果、前記各電極１３ａ，１３ｂは前記小球１５を介して互いに導通し、前記お代わり信号送信部２に電力が供給され、前記お代わり信号送信部２からお代わり信号が無線送信される。
【００２５】
なお、ここで、図２，３に関して説明した前記磁石２１の動作を説明する。前述のように、前記磁石２１は、前記空間２２内で、前記雄ネジ２３が前記各雌ネジ２４，２５内の回動に対応して、前記金属製の小球１５に対して近接離反する方向（図示上下方向）に移動可能に、前記雄ネジ２３により支持されている。よって、店員が前記頭部２６を持って前記雄ネジ２３を左右いずれかの方向に回動させて前記磁石２１の図示上下方向の位置を調整することにより、前記磁石２１と前記小球１５との距離が調整され、前記磁石２１から前記小球１５に及ぼされる磁力の大きさが調整される。その結果、前記小球１５の前記第１溝部内から上方に乗り上げて前記傾斜面１４側に移動するときの負荷の大きさ、すなわち、どのくらいの傾きで前記小球１５が移動するようになるかを、調整することができる。よって、店員は、各グラス毎に、グラス１０がどのくらい傾けられたら前記小球１５が移動してお代わり信号が送信されるようにするかを調整することができる。
【００２６】
次に、前述のように、前記傾きセンサ１において前記小球１５が前記第１溝部１２から第２溝部１３に移動して前記各電極１３ａ，１３ｂ間が導通されたときは、前記お代わり信号送信部２に電力が供給されて前記お代わり信号送信部２からお代わり信号が無線送信される。この無線送信されたお代わり信号は、店員側のエリア、例えばカウンターや厨房の中に設置された信号受信部３（図１参照）で受信される。すると、この信号受信部３からの信号に基づいて、アラーム発生部４（図１参照）が所定の光を点滅・発光させる。これにより、店員はいずれかのお客がグラスを所定角度以上に傾けたこと、すなわち、いずれかのお客のグラス１０内の飲み物が所定量以上減ったことをタイミング良く知ることができ、お代わりなどのサービスを行なうことができる。
【実施例２】
【００２７】
次に本発明の実施例２について説明する。図５は本実施例２の全体構成を示す概略ブロック図である。図５において、図１と共通する部分には同一の符号を付して説明を省略する。図５において、２ａは、各グラス１０に備えられたお代わり信号送信部であって各グラス１０毎の傾きセンサ１が所定の傾きを検知したときお代わり信号を出力（無線送信）するお代わり信号送信部である。前記お代わり信号送信部２ａは、基本的には実施例１のお代わり信号送信部２と同様であるが、所定の近距離のエリアだけ、例えば店内の１つのテーブル及びその近傍のエリアだけに受信されるように微弱電波により前記お代わり信号を送信する点で、前記実施例１におけるお代わり信号送信部２と異なっている。また、図５において、３１は前記お代わり信号送信部２ａからのお代わり信号を受信し自らが配置されているエリアの識別情報を含むエリア信号を送信するエリア信号送信部である。
【００２８】
次に、図６を参照して本実施例２の動作を説明する。図６において、３２ａ，３２ｂ，３２ｃ，３２ｄはテーブル、３３は椅子、３４はソファ、３５は厨房（キッチン）、３６はカウンター、３１ａ，３１ｂ，３１ｃ，３１ｄは前記各テーブル３２ａ，３２ｂ，３２ｃ，３２ｄの底部の略中央部にそれぞれ配置されたエリア信号送信部、３ａ，３ｂは厨房３５の中及び前記カウンター３６の中にそれぞれ配置された信号受信部、４ａ，４ｂは厨房３５の中及び前記カウンター３６の中にそれぞれ配置されたアラーム発生部である。
【００２９】
本実施例２において、お客がグラス１０を所定角度以上に傾けると、前記傾きセンサ１が前記傾きを検知し、前記お代わり信号送信部２ａがテーブル３２ａの近傍の範囲内の近距離に向けてお代わり信号を無線送信する。この近距離送信されたお代わり信号は前記お客が居るテーブル３２ａに取り付けられたエリア信号送信部３１ａにのみ受信される（離れた位置にある他のテーブル３２ｂ，３２ｃ，３２ｄに取り付けられた各エリア信号送信部３１ｂ，３１ｃ，３１ｄには、前記お代わり信号は、受信されないか又は極めて微弱な電波としてしか受信されないため無視される）。そして、このお代わり信号を受信した前記エリア信号送信部３１ａは、自らが属するエリアの識別情報（テーブル番号情報）を含む信号を、前記厨房３５内の信号受信部３ａ及び前記カウンター３６内の信号受信部３ｂに送信する。前記各信号受信部３ａ，３ｂは、前記エリア信号送信部３１ａからのエリア信号を受信すると、所定の信号を前記各アラーム発生部４ａ，４ｂに送信する。前記信号を受信した各アラーム発生部４ａ，４ｂはそれぞれ所定の光を点滅させるなどのアラーム情報を発生させる。また、本実施例２では、前記各アラーム発生部４ａ，４ｂは、所定の光の点滅などにより店員に「いずれかのお客のグラス１０の飲み物がお代わりのタイミングになったこと」を知らせるだけでなく、例えば小型ディスプレイに「グラス１０の飲み物がお代わりのタイミングになったお客の居るテーブルの番号」を表示することにより、店員に「どのテーブルのお客のグラス１０の飲み物がお代わりのタイミングになったか」をも知らせることができる。よって、店員は、そのお代わりのタイミングになったお客にお代わりを促すサービスを迅速に行なうことができる。
【００３０】
以上、本発明の各実施例について説明したが、本発明は前記の各実施例として述べたものに限定されるものではなく、様々な修正及び変更が可能である。例えば、前記実施例１においては、前記アラーム発生部４はＬＥＤにより所定の光を点滅させることによりお客のお代わりのタイミングが来たことを店員に知らせるようにしているが、本発明はこれに限られるものではなく、例えば所定の音響をスピーカから発生することや所定の文字や画像をディスプレイに表示することなどにより前記タイミングを店員に知らせるようにしてもよい。
【００３１】
また、前記実施例１においては、前記傾きセンサ１を構成する小球１５が前記２溝部１３に移動して前記各電極１３ａ，１３ｂを導通させることにより前記お代わり信号送信部２に電力を供給しこれにより前記お代わり信号送信部２を作動させるようにしているが、本発明では、前記傾きセンサ１からの出力をマイクロコンピュータなどから成る制御部が受信し、前記制御部が、前記傾きセンサ１からの出力に基づいて、前記傾きセンサ１とは別個に構成されたお代わり信号送信部を制御するようにしてもよい。
【００３２】
また、前記実施例２においては、前記エリア信号送信部３１ａ，３１ｂ，３１ｃ，３１ｄは図２の各テーブル３２ａ，３２ｂ，３２ｃ，３２ｄの底部に取り付けるようにしているが、本発明はこれに限られるものではなく、図２のカウンター３６の一箇所又は数箇所に取り付けるようにしてもよい。
【符号の説明】
【００３３】
１     傾きセンサ
２，２ａ      お代わり信号送信部
３，３ａ，３ｂ 信号受信部
４，４ａ，４ｂ 各アラーム発生部
１０   グラス
１１   枠体
１２   第１溝部
１３   第２溝部
１３ａ，１３ｂ 電極
１４   傾斜面
１５   小球
２１   磁石
２２   空間
２３   雄ネジ
２４，２５    雌ネジ
２６   雄ネジの頭部
３１，３１ａ，３１ｂ，３１ｃ，３１ｄ       エリア信号送信部
３２ａ，３２ｂ，３２ｃ，３２ｄ      テーブル
３３   椅子
３４   ソファ
３５   厨房
３６   カウンター
【要約】
【目的】スナックやバーなどの飲食店においてお客の数に比して店員の数が少ないため店員の目が全てのお客に行き届かない場合でも、全てのお客の飲み物のお代わりのタイミングを店員が知ることができる、飲み物お代わりタイミング検知システム及びお代わり信号送信機能付きコップを提供する。
【構成】客に提供されるコップ本体に備えられ、コップ本体が所定の角度まで傾けられたことを検出する傾き検出手段と、前記傾き検出手段が前記傾きを検出したとき所定のお代わり信号を無線送信するお代わり信号送信手段と、飲食店の店員側の領域（カウンター、厨房、店員の身体など）に備えられ、前記お代わり信号送信手段からのお代わり信号に基づいて所定のアラーム（告知）情報を発生する告知情報発生手段とを備えたものである。
【選択図】    図１【図１】
0004751964.tif 000002
【図２】
0004751964.tif 000003
【図３】
0004751964.tif 000004
【図４】
0004751964.tif 000005
【図５】
0004751964.tif 000006
【図６】
0004751964.tif 000007